(57)【要約】【課題】  遊技台用台間機の扉開閉構造において、第三者による扉のこじ開け等のいたずらを防止する。【解決手段】  金庫取出口１０を開閉する扉７は枢軸１１を介して前板２に回動自在に支持され、内面に係合孔１２ａを有する係合片１２が一体に突設されている。遊技台用台間機１内に矢印Ａ−Ｂ方向に移動自在に支持された押出棒１６は、圧縮コイルばね１８の弾発力によって、係合片１２を介して扉７を開く方向に付勢されている。電磁ソレノイド２０のロッド２１には、係合片１２の係合孔１２ａに係合し、扉７を閉じた状態に保持するロックレバー２２が連結されている。このロックレバー２２には、遊技用台間機１の外部に延設され、停電時等に強制的に扉７を開くことができる手動用操作部材２２ｂが設けられている。電磁ソレノイドの駆動は、遊技台用台間機１の外部から管理者が操作する電波送信器と、遊技台用台間機１の内部に設けられ電波送信器からの電波を受信する電波受信器とによって行われる。【選択図】  図２
2009056087.tif 000002
【特許請求の範囲】
【請求項１】
装置の開口を開閉自在な扉と、この扉を開く方向に付勢する付勢部材と、扉の被係合部に係合し係合することにより前記付勢部材の付勢力に抗して扉を閉じた状態に保持するロック部材と、このロック部材を移動させる電磁ソレノイドとを備え、この電磁ソレノイドの駆動は、装置の外部に設けた電波送信器と、この電波送信器から送信された電波を受信し装置の内部に設けた電波受信器とによって励磁されることを特徴とする遊技台用台間機の扉開閉構造。
【請求項２】
前記被係合部との係合が解除された前記ロック部材の非係合状態を前記付勢部材によって保持することを特徴とする請求項１記載の遊技台用台間機の扉開閉構造。
【請求項３】
前記ロッドに連結され装置の外部に延設された手動操作部材を備えたことを特徴とする請求項１または２記載の遊技台用台間機の扉開閉構造。
【発明の詳細な説明】
【技術分野】
【０００１】
本発明は、金庫等を出し入れするための取出口を覆っている扉を開閉する遊技台用台間機の扉開閉構造に関するものである。
【背景技術】
【０００２】
従来の遊技台用台間機の扉開閉構造としては、遊技台用台間機内に収納されたカード収納ユニットと、このカード収納ユニットの前面側を覆う開閉自在な開閉扉とを備え、この開閉扉に設けた鍵穴に鍵を挿入し鍵操作で開閉扉を開くことにより、カード収納ユニットを出し入れするものがある（例えば、特許文献１参照）。
【特許文献１】特開２００４−１９５０３５号公報
【発明の開示】
【発明が解決しようとする課題】
【０００３】
上述した従来の遊技台用台間機の扉開閉構造においては、鍵操作によって開閉扉を開閉する構造であることにより、鍵穴が第三者に見える位置に設けられているため、鍵穴にピン等が挿入され開閉扉が開けられたり、鍵穴に異物が挿入されるといったいたずらがし易いという問題があった。
【０００４】
本発明は上記した従来の問題に鑑みなされたものであり、その目的とするところは、第三者によって故意に扉が開けられたりいたずらがされないようにした遊技台用台間機の扉開閉構造を提供するところにある。
【課題を解決するための手段】
【０００５】
この目的を達成するために、本発明は、装置の開口を開閉自在な扉と、この扉を開く方向に付勢する付勢部材と、扉の被係合部に係合し係合することにより前記付勢部材の付勢力に抗して扉を閉じた状態に保持するロック部材と、このロック部材を移動させる電磁ソレノイドとを備え、この電磁ソレノイドの駆動は、装置の外部に設けた電波送信器と、この電波送信器から送信された電波を受信し装置の内部に設けた電波受信器とによって励磁されるものである。
【０００６】
本発明は、前記発明において、前記被係合部との係合が解除された前記ロック部材の非係合状態を前記付勢部材によって保持するものである。
【０００７】
本発明は、前記発明において、前記ロッドに連結され装置の外部に延設された手動操作部材を備えたものである。
【発明の効果】
【０００８】
本発明によれば、扉の開閉を従来のように鍵操作ではなく、電波送信器と電波受信器との間の無線によって行うため、扉に鍵穴を設けることがないから、第三者に対して扉が開閉可能であることを意識付けるようなことがない。また、電波送信器によって施錠解除信号を送信することにより、施錠が解除されるとともに付勢部材によって扉が開くため、手によって扉を開くための取手等を設ける必要がないから、第三者に扉であることを意識付けるようなことがない。このため、第三者が故意に扉をこじ開けようとする意識をもたせるようなことがないから、第三者によって扉がこじ開けられることや、鍵穴に異物を挿入されたりするといったいたずらを防止することができる。
【０００９】
前記発明のうちの一つの発明によれば、装置の使用中に停電したりあるいは電磁ソレノイドに動作不良が発生したとしても、装置の外部から手動操作部材を操作することにより、扉を開くことができるため使い勝手が向上する。
【発明を実施するための最良の形態】
【００１０】
以下、本発明の実施の形態を図に基づいて説明する。図１は本発明に係る遊技台用台間機の正面図、図２は同じく扉が閉じた状態を示し、同図（Ａ）は同図（Ｂ）におけるII（Ａ）-II（Ａ） 線断面図、同図（Ｂ）は図１におけるII（Ｂ）-II （Ｂ）線断面図、図３は同じく扉が開いた状態を示し、同図（Ａ）は同図（Ｂ）におけるIII（Ａ）-III （Ａ）線断面図、同図（Ｂ）は図１におけるII（Ｂ）-II （Ｂ）線断面図、図４は同じく電磁ソレノイドの駆動を説明するためのブロック図である。
【００１１】
図１に全体を符号１で示す遊技用台間機の前板２には、紙幣挿入口３、硬貨挿入口４、表示部５、硬貨返却口６および前板２に開閉自在に支持された扉７が設けられている。扉７は、図２に示すように前板２に設けられた金庫取出口１０を開閉自在とするように枢軸１１を介して前板に両端側が枢支されている。１２は扉１０の裏面側に一体に突設された係合片であって、後述するロックレバー２２の係合部２２ａが係合する被係合部として機能する係合孔１２ａが設けられている。
【００１２】
１３は遊技用台間機１に固定されたブラケットであって、このブラケット１３に互いに対向するように突設された支持片１４，１５の支持孔には、付勢部材として機能する押出棒１６が矢印Ａ−Ｂ方向に移動自在に支持されている。この押出棒１６は、図２（Ｂ）に示すように上記した係合片１２と同じ高さに位置付けられており、押出棒１６の一端１６ａは係合片１２の端部に当接しており、押出棒１６に嵌着されたＥリング１７と一方の支持片１４との間には、圧縮コイルばね１８が弾装されている。この圧縮コイルばね１８の弾発力によって、この押出棒１６は、金庫取出口１０を閉じた状態の扉７を、係合片１２を介して矢印Ａ方向、すなわち扉７が開く方向に付勢している。
【００１３】
２０はブラケット１３に取り付けられた電磁ソレノイドであって、進退自在なロッド２１は圧縮コイルばね２１ａの弾発力によって前進する方向に付勢されている。したがって、電磁ソレノイド２０に電流が通電されると、ロッド２１は圧縮コイルばね２１ａの弾発力に抗して後退し、電磁ソレノイド２０への通電が遮断されると、圧縮コイルばね２１ａの弾発力によって前進する。２２はロッド２１の溝部にピン２３を介して連結されたロックレバーであって、一端部に上記した係合片１２の係合孔１２ａに係合する係合部２２ａが設けられており、他端が遊技用台間機１の外部に延設され手動用操作部材２２ｂを形成している。
【００１４】
２４はブラケット１３に一体に形成された硬貨軌道であって、図示を省略した硬貨選別部において選別された正規硬貨がこの硬貨軌道２４内を落下し、金庫収容箱２６内に収容されている金庫２５内に収納される。この金庫２５の上端と硬貨軌道２４の下端との間には、金庫２５を金庫取出口１０から取り出し可能なようにわずかな間隔が設けられている。
【００１５】
図４において、２７は遊技台用台間機１の外部から遊技台用台間機１を管理する管理者が操作する電波送信器であって、施錠解除信号の電波が送信される。２８は遊技用台間機１内に設けられ、電波送信器２７から送信された施錠解除信号の電波を受信する電波受信器である。この電波受信器２８には、電磁ソレノイド２０に電流を供給し電磁ソレノイド２０を励磁する駆動回路（図示せず）が備えられている。すなわち、この電波受信器２８では、電波送信器２７から施錠解除信号を受信することにより、電磁ソレノイド２０のロッド２１が後退するように、駆動回路により電磁ソレノイド２０に通電する。
【００１６】
次に、このように構成された遊技台用台間機の扉開閉構造において、扉を開閉する動作について説明する。先ず、扉が閉じられた状態から開く動作について説明する。扉７が閉じられた状態では、図２に示すようにロックレバー２２の係合部２２ａが扉７の係合片１２の係合孔１２ａに係合している。この状態から、遊技台用台間機１を管理する管理者が電波送信器２７を操作して電波受信器２８に施錠解除信号を送信する。施錠解除信号を受信した電波受信器２８では、図示を省略した駆動回路により電磁ソレノイド２０に通電する。
【００１７】
したがって、ロッド２１が圧縮コイルばね２１ａの弾発力に抗して後退することにより、ロックレバー２２が随伴して図中上方へ移動するため、ロック部２２ａと係合片１２の係合孔１２ａとの係合が解除される。この解除により、圧縮コイルばね１８の弾発力によって矢印Ａ方向に付勢されていた押出棒１６が矢印Ａ方向に移動するから、図３に示すように係合片１２も矢印Ａ方向に押圧され、扉７が枢軸１１を中心として回動し扉７が開き、金庫取出口１０が開放され、金庫２５の取り出しが行える。このとき、矢印Ａ方向に移動した押出棒１６の上面にロックレバー２２のロック部２２ａが係合することにより、電磁ソレノイド２０への通電が遮断された後もロッド２１が圧縮コイルばね２１ａの弾発力に抗して後退した状態に保持される。
【００１８】
この扉７が開いた状態から閉じた状態にするには、図３（Ａ）に示す開いた状態の扉７を手によって強制的に閉じることにより、係合片１２を介して押出棒１６を圧縮コイルばね１８の弾発力に抗するように矢印Ｂ方向へ移動させる。係合片１２の係合孔１２ａとロックレバー２２のロック部２２ａとが一致すると、圧縮コイルばね２１ａの弾発力によってロッド２１が前進する。したがって、ロックレバー２２が随伴して図中下方に移動するため、ロック部２２ａと係合片１２の係合孔１２ａとが係合し、扉７が閉じられた状態となる。
【００１９】
このように、扉７を開くのに従来のように鍵操作ではなく、電波送信器２７と電波受信器２８との間の無線によって行うことができるため、扉７に鍵穴を設けることがないから、第三者に対して扉７が開閉可能であることを意識付けるようなことがない。また、電波送信器２７によって施錠解除信号を送信することにより、施錠が解除されるとともに押出棒１６によって扉７が開くため、手によって扉７を開くための取手等を設ける必要がないから、第三者に扉７が扉であることを意識付けるようなことがない。このため、第三者が故意に扉７をこじ開けようとする意識をもたせるようなことがないから、第三者によって扉７がこじ開けられるということや、鍵穴に異物を挿入されたりするといったいたずらを防止することができる。
【００２０】
扉７が閉じられた状態で、停電が発生した場合は、電磁ソレノイド２０のロッド２１が圧縮コイルばね２１ａの弾発力によって前進したままの状態が保持されるので、ロック部２２ａと係合片１２の係合孔１２ａとが係合したままで、扉７は閉じられたままの状態となる。
【００２１】
管理者は、隣接した遊技台の前面枠（いずれも図示せず）を開き、この前面枠が開放された遊技台の前面から手を差し入れ、遊技用台間機１の外部に延設された手動用操作部材２２ｂを指で把持し、この手動用操作部材２２ｂを電磁ソレノイド２０のロッド２１が後退する方向へ強制的に移動させる。この操作によって、ロックレバー２２のロック部２２ａと係合片１２の係合孔１２ａとの係合が解除されるため、上記と同様に、扉７が枢軸１１を中心として回動し、図３に示すように金庫取出口１０が開放される。このように、停電した場合や電磁ソレノイド２０の動作不良が発生したりした場合にも、遊技台用台間機１の外部から手動操作部材２２ｂを人為的に操作することにより、扉７を開くことができるため使い勝手が向上する。
【図面の簡単な説明】
【００２２】
【図１】本発明に係る遊技台用台間機の正面図である。
【図２】本発明に係る遊技台用台間機において扉が閉じた状態を示し、同図（Ａ）は同図（Ｂ）におけるII（Ａ）-II （Ａ）線断面図、同図（Ｂ）は図１におけるII（Ｂ）-II （Ｂ）線断面図である。
【図３】本発明に係る遊技台用台間機において扉が開いた状態を示し、同図（Ａ）は同図（Ｂ）におけるIII（Ａ）-III （Ａ）線断面図、同図（Ｂ）は図１におけるII（Ｂ）-II （Ｂ）線断面図である。
【図４】本発明に係る遊技台用台間機における電磁ソレノイドの駆動を説明するためのブロック図である。
【符号の説明】
【００２３】
１…遊技台用台間機、２…前板、７…扉、１０…金庫取出口、１２…係合片、１２ａ…係合孔（被係合部）、１６…押出棒（付勢部材）、１８…圧縮コイルばね、２０…電磁ソレノイド、２１…ロッド、２２…ロックレバー、２２ａ…係合部、２２ｂ…手動用操作部材、２５…金庫、２７…電波送信器、２８…電波受信器。
【図１】
2009056087.tif 000003
【図２】
2009056087.tif 000004
【図３】
2009056087.tif 000005
【図４】
2009056087.tif 000006